Podtech/llm-jp-corpus-v4-ja_patent huggingface dataset:
(57)【要約】【課題】単一形状品（お箸、爪楊枝、タバコなど）を清潔に取扱いするため、間接的な動作で取り出し口に搬送し、必要数が取り出せ、且つ、品物が循環可能なストッカーに関するものである。【解決手段】整列ケース（２）に、カウンター（３）を組み付ける。カウンター（３）を、整列ケース（２）の取り出し口側の位置から順次後退させながら品物を収納し、スタンド（１）に組み込む。整列ケース（２）上部の凸部を引き上げると、品物とカウンターの重みで品物が取り出し口の位置へ移動する。上記の状態から整列ケース（２）上部の凸部を離すと、品物がスタンド（１）下部のストッパーに当り、外部に出て取り出せる状態になる。【選択図】    図４
2004345734.tif 000002
【特許請求の範囲】
【請求項１】
単一形状の品物を整列して収納でき、任意の数量をスライド搬送し取り出せる機能を持つストッカー。
【発明の詳細な説明】
【０００１】
【産業上の利用分野】
この発明は、単一形状品（お箸、爪楊枝、タバコなど）を清潔に取扱いするため、間接的な動作で取り出し口に搬送し、且つ、品物が循環可能なストッカーに関するものである。
【０００２】
【従来の技術】
従来より、複数から必要数を取り出す構造で、品物が循環せず、取り出し口も広いため、ゴミや埃を遮断しにくいので不衛生である。
【０００３】
【発明が解決しようとする課題】
（イ）必要数のみ取り出せ、それ以外は非接触にする。
（ロ）取り出し口は、最小限にし衛生面の向上を図る。
【０００４】
【課題を解決するための手段】
スタンド（１）に、物品を出口へスライド搬送させる整列ケース（２）を組付けて使用する。スライド力補助にカウンター（３）を設けた。
本発明は、以上のような構成よりなるストッカーである。
【０００５】
【発明の実施の形態】
以下、本発明の実施例について説明する。
（イ）整列ケース（２）に、カウンター（３）を組み付ける。
（ロ）カウンター（３）を、整列ケース（２）の取り出し口側の位置から順次次後退させながら品物を収納し、スタンド（１）に組み込む。
（ハ）整列ケース（２）上部の凸部を引き上げると、品物、カウンターの重みで品物が取り出し口の位置へ移動する。
（ニ）上記の状態から整列ケース（２）上部の凸部を離すと、品物がスタンド（１）下部のストッパーに当り、外部に出て取り出せる状態になる。
【０００６】
【発明の効果】
これには次のような効果がある。
（イ）取り出し口が最小限であり必要数のみ取り出せるので、防埃、汚れ防止ができる。
（ロ）品物が循環するので、品質管理ができる。
【図面の簡単な説明】
【図１】本発明の部品（スタンド）の投影図である。
【図２】本発明の部品（整列ケース）の投影図である。
【図３】本発明の部品（カウンター）の投影図である。
【図４】本発明の組立て状態での断面図である。
【符号の説明】
１  スタンド
２  整列ケース
３  カウンター
４  取り出し口
５  ストッパー
【図１】
2004345734.tif 000003
【図２】
2004345734.tif 000004
【図３】
2004345734.tif 000005
【図４】
2004345734.tif 000006
(57)【要約】【課題】従来の飲み物を飲む方法は、一つの容器に一つの種類の飲み物を入れてそれを飲むだけしかできず、数種類の飲み物を飲むことはできなかった。【解決方法】上記目的を達成するために、まず容器を二種類以上の飲み物を入れられるようなものにする。そのために【図１】〜【図４】に描かれてあるような容器を製作して、その中にそれぞれ飲み物を入れていく。【選択図】図４
2004345732.tif 000002
【特許請求の範囲】
【請求項１】
二種類以上の飲み物を一つの容器で飲むこと。
【請求項２】
二種類以上の飲み物を入れることのできる容器。
【発明の詳細な説明】
【０００１】
【発明の属する技術分野】
本発明は飲み物を飲む方法とその容器に関するものである。
【０００２】
【従来の技術】
従来の飲み物を飲む方法は、一つの容器に一つの種類の飲み物を入れて飲むだけであった。
【０００３】
【発明が解決しようとする課題】
従来の飲み物を飲む方法は、一つの容器に一つの種類の飲み物を入れてそれを飲むだけしかできず、数種類の飲み物を飲むことはできなかった。
【０００４】
【課題を解決するための手段】
上記目的を達成するために、まず容器を二種類以上の飲み物を入れられるよう
なものにする。そのために
【図１】〜
【図４】に描かれてあるような容器を製作して、その中にそれぞれ飲み物を入れていく。
【０００５】
【発明の実施の形態】
【図１】〜
【図４】に描かれてあるような容器に飲み物を入れていき、それを飲む。
【０００６】
【発明の効果】
本発明は、以上説明したように構成されているので、以下に記載されるような効果を奏する。
【０００７】
これまで一つの容器に一種類の飲み物しか入れることができず、一種類の飲み物しか楽しむことができなかったが、一つの容器に数種類の飲み物を入れることによってたくさんの種類の飲み物を楽しむことができるようになる。
【図面の簡単な説明】
【図１】缶ジュースについてである。二つ以上のストローを入れる箇所をあらかじめ作っておき、ストローを差し込める箇所を二つ以上つくっておき、そこに付属のストローを差し込んで飲むようにする。
【図２】ストローで飲む紙パックについてである。二つ以上のストローをひっつけておき、ストローを差し込める箇所を二つ以上つくっておき、そこに付属のストローを差し込んで飲むようにする。
【図３】ペットボトル・飲み口がある紙パックについてである。飲み口を二つ以上作る。
【図４】紙コップ・プラスティックコップ・ガラスでできたコップについてである。コップを二つ以上重ねた容器をつくり、それに数種類の飲み物を入れて、それをストローで飲む。
【図１】
2004345732.tif 000003
【図２】
2004345732.tif 000004
【図３】
2004345732.tif 000005
【図４】
2004345732.tif 000006
(57)【要約】【課題】新築建物で身体の調子を崩す人が多い。又、石炭灰（一般産業廃棄物）カキ殼（廃棄物）となっています。現在では、石炭灰の７０％が有効利用されています。残り３０％を灰捨て場等に埋立て処分しています。廃棄物処分場がなくなる傾向で進んでいます。埋立て処分石炭灰を建築資材に変える。【解決手段】石炭灰、カキ殻（粉末）と、石膏、炭カル、ビニル系樹脂、無機顔料、防カビ材の、下地調整材を工場で混合して製品化する。現地で水と練り混ぜて使用する。石炭灰が建築資材と変えて使用する事で、一般産業廃棄物が少なくなる。カキ殼（粉末）を混合する事で揮発性有機化学物が低減する。【選択図】  なし【特許請求の範囲】
【請求項１】
石炭灰（一般産業廃棄物）とカキ殻（粉末）、石膏、炭カル、合成樹脂、無機顔料、防カビ材を工場で混合製品化。現地で水と練り混ぜて使用。
【発明の詳細な説明】
【０００１】
【発明の属する技術分野】
石炭灰（一般産業廃棄物）、カキ殻（粉末）を有効利用して、建物内装用下地調整処理材の工場製造方法。
【０００２】
【従来の技術】
下地調整処理材は環境問題を重要視されなかった。現在では避けて通れない事になっています。石炭火力発電所から多量の石炭灰が発生します。例えば、中国電力における石炭灰の有効活用率は現在７０％で、その大半はセメント分野であり、土木建築分野、農業水産分野となっています。セメント分野の中でも粘土の代替材として、セメントの原料に多く利用。土木分野では海砂代替材、地下空道の重填材などに活用。
【０００３】
【発明が解決しようとする問題】
現在新築建物はシックハウス対策が大問題になっています。人にやさしい建物は、揮発性有機化合物の含有量低減が必要です。産業廃棄物の石炭灰を有効利用して資源有効利用促進法が適用される。
【０００４】
【課題を解決するための手段】
石炭灰特性、カキ殻特性を活かし、揮発性有機化学物が低減した建物内装用下地調整材とする。（壁、天井、床）等。
【０００５】
【発明の実施の形態】
石炭灰、カキ殻（粉末）と、石膏、炭カルビニル系樹脂、無機顔料、防カビ材の下地調整材を工場で混合製品化とする。現地で水を練り混ぜて使用する下地調整材です。
【０００６】
【実施例】
石炭灰、カキ殻（粉末）と、石膏、炭カル、ビニル系樹脂、無機顔料、防カビ材の下地調整材を混合比９対１から１対９の比で試験した。
【０００７】
【発明の効果】
有機化学物質の低減により生活環境の向上。石炭灰（一般産業廃棄物）及び、カキ殻のリサイクルになり、又工場納入となり管理が明確になる。下地調整材は品質均一、管理が簡単になる。
(57)【要約】【課題】非農耕地には、一年生雑草から多年生雑草までの幅広い雑草種があり、従来の除草剤にはその除草効果及び持続性の欠如等の問題と共に、取扱の安全性を高めることと除草費用を低く抑えるという課題があった。【解決手段】取扱が容易であり廉価な凍結防止剤用塩化ナトリウム水溶液または酢酸水溶液を散布液として非農耕地に散布することにより、植物細胞の半透膜を介した受動輸送の活性化を促し除草し、取扱の安全性を高めることと除草費用を低く抑えることができた。【特許請求の範囲】
【請求項１】
植物細胞の半透膜を介した受動輸送による水の拡散を促進させる非農耕地用の除草剤。
【発明の詳細な説明】
【０００１】
【発明が属する技術分野】
本発明は、植物細胞の半透膜を介した受動輸送による水の拡散を利用した非農耕地用の除草剤に関するものである。
【０００２】
【従来の技術】
従来、除草作業は手取り除草から、主に化学合成物質から成る除草防除薬剤、すなわち「除草剤」の使用が広く行われるようになった。
【０００３】
非農耕地用としての除草剤は、その取扱の安全性、経済性に課題がある。
【０００４】
この改善策として、凍結防止剤用の廉価な塩化ナトリウムを単剤の除草剤として使用し、植物細胞の半透膜を介した受動輸送による水を拡散させる性質を利用した除草を行う。
【０００５】
【発明が解決しようとする課題】
非農耕地雑草には、一年生雑草から多年生雑草までの幅広い雑草種があり、従来の除草剤にはその除草効果及び持続性の欠如等の問題と共に、取扱の安全性及び価格面についても課題がある。
【０００６】
【課題を解決するための手段】
本発明は、凍結防止剤用塩化ナトリウムを単剤の除草剤として使用することにより、植物細胞の半透膜を介した受動輸送の活性化を促し非農耕地での除草を行う。
【０００７】
【発明の効果】
凍結防止剤用塩化ナトリウム水溶液を散布液とし非農耕地に散布することにより、植物細胞の半透膜を介した受動輸送の活性化を促したところ、異なる雑草種においても除草の効果が認められ、取扱安全面及び価格面についても改善された。
【手続補正書】
【提出日】平成15年5月23日(2003.5.23)
【手続補正１】
【補正対象書類名】明細書
【補正対象項目名】０００４
【補正方法】変更
【補正の内容】
【０００４】この改善策として、取扱が容易であり廉価な凍結防止剤用塩化ナトリウムまたは酢酸を単剤の除草剤として使用し、植物細胞の半透膜を介した受動輸送による水を拡散させる性質を利用した除草を行う。


【手続補正２】
【補正対象書類名】明細書
【補正対象項目名】０００６
【補正方法】変更
【補正の内容】
【０００６】
【課題を解決するための手段】本発明は、取扱が容易であり廉価な凍結防止剤用塩化ナトリウムまたは酢酸を単剤の除草剤として使用することにより、植物細胞の半透膜を介した受動輸送の活性化を促し非農耕地での除草を行う。


【手続補正３】
【補正対象書類名】明細書
【補正対象項目名】０００７
【補正方法】変更
【補正の内容】
【０００７】
【発明の効果】取扱が容易であり廉価な凍結防止剤用塩化ナトリウム水溶液または酢酸水溶液を散布液とし非農耕地に散布することにより、植物細胞の半透膜を介した受動輸送の活性化を促したところ、異なる雑草種においても除草の効果が認められ、取扱安全面及び価格面についても改善された。
(57)【要約】【課題】自動車用シートベルトに着用し、自動車用エアコンの冷やし過ぎが原因での腹痛を防ぐ布帯を提供する。【課題手段】縦長状の布上辺４５°位に切り欠いた布（１）の切り欠いた縁に面ファスナー（２ａ）を設け，下部平行に面ファスナー（２ｂ）を有し面ファスナー（２ａ）と（２ｂ）の間に折り目（３）を設けた事を特徴とする。【選択図】  図３
2004345620.tif 000002
【特許請求の範囲】
【請求項１】
縦長状の布上辺を斜めに切り欠いた布（１）の切り欠いた縁に面ファスナー（２ａ）を設け，下方平行に折り目（３）を有し、折り目下方へ平行に、面ファスナー（２ｂ）を設けた自動車用シートベルト布帯。
【発明の詳細な説明】
【０００１】
【発明の属する技術分野】
この発明は、自動車用エアコンの冷やし過ぎが原因の腹痛を防ぐ自動車用シートベルトに着用する布帯に関するものである。
【０００２】
【従来の技術】
従来真夏の自動車冷房は、熱いので冷やし過ぎてしまい下痢等を防ぐ為厚着したり衣類やタオル等で、お腹の上に乗せガードしていた。厚着は冷風からお腹を守れるが暑く快適ではなく、又衣類やタオル等を乗せた場合運転中ずれ落ちたりししていた。
【０００３】
【発明が解決しようとする課題】
これは次のような欠点があった
イ。自動車用エアコンの冷やし過ぎからお腹をガードするために衣類やタオル等お腹の上に置いてていたが、かさばる為運転しにくかった。
ロ。運転中ずり落ちたりし安全運転に支障をきたしていた。
本発明は、以上の欠点を解決するためになされたものである。
【０００４】
【課題を解決するための手段】
縦長状の布上辺４５°に切り欠いた布（１）の切り欠いた縁に、面ファスナー（２ａ）を設け，下部平行に面ファスナー（２ｂ）を有し面ファスナー（２ａ）と面ファスナー（２ｂ）の間に折り目（３）を設ける。
本発明は、以上の構成よりなる自動車用シートベルト布帯である。
【０００５】
【発明の実施の形態】
以下、本発明の実施の形態を説明する。
（イ）縦長状の布、ビニール、綿布、紙等上辺４５°位に切り欠いた布（１）切り欠いた縁に、面ファスナー（２ａ）を設ける。
（ロ）（２ａ）の面ファスナー下方、平行に折り目（３）を設ける。
（ハ）折り目下方、平行に面ファスナー（２ｂ）を設ける。
本発明は、以上の構成よりなっている。
本発明を使用するよきは自動車のシートベルトを装着し、布（１）を折り目（３）で折り曲げシートベルトを挟み（２ａ）（２ｂ）の面ファスナーで止着し固定させる。
【０００６】
【発明の効果】
本発明を使用することによって、自動車用エヤコンの冷やし過ぎが原因の腹痛を防ぐ事ができ、しかも、ずり落ちたりしないので安全かつ快適な運転が出来る。
【図面の簡単な説明】
【図１】本発明の斜視図
【図２】本発明の展開図
【図３】本発明の装着手順を示す斜視図
【図４】本発明の使用状態を示す斜視図
【符号の説明】
１    布
２ａ  面ファスナー（雄）
２ｂ  面ファスナー（雌）
３    折り目
【図１】
2004345620.tif 000003
【図２】
2004345620.tif 000004
【図３】
2004345620.tif 000005
【図４】
2004345620.tif 000006
(57)【要約】【課題】従来のミラーは平面のミラーしかなく、左右が見づらく車線変更等が安全面で容易でなかった。それを、ミラーに傾斜角度をつけることにより、幅広く見えるようになったミラーを提供する。【解決手段】両側とも、片側ミラーの全体幅、図（１）、（２）の横の長さに対して、２５％、前後の幅を、外側部分の傾斜角度面積幅とし、その角度を３度から２０度前後を傾斜角度ミラー面（２）として固定することを特徴とする。【選択図】図１
2004345619.tif 000002
【特許請求の範囲】
【請求項１】
平面のミラー面の幅に対して、外側の約２５％前後のミラー面積を外側に傾斜角度をつけたものである。
【発明の詳細な説明】
この発明は平面ミラー面に傾斜角度を外側につけたものである。従来のミラーには角度がついておらず、平面だった為、左右の２車線、３車線の確認が容易でなかった。ミラーに角度をつけることにより、幅広く見えるように、より安全に車線変更ができるようになる。
これを図面について説明すれば、平面ミラー面（１）に対して傾斜角度ミラー面（２）をつけたものである。ミラーの大小により角度を大きくしたり小さくするとより見やすくなる。
【図面の簡単な説明】
【図１】本発明の斜視図である。
【図２】本発明の使用中の斜視図である。
【符号の説明】
１は平面ミラー面、  ２は傾斜角度ミラー面。
【図１】
2004345619.tif 000003
【図２】
2004345619.tif 000004
(57)【要約】【課題】夜間の自転車の交通安全事故防止対策用品として、自転車の前カゴ反射ベルトを提供する。【解決手段】反射ベルト（１）にゴムバンド（２）とフック（３）（３）を設けたことを特徴とする。【選択図】    図１
2004345618.tif 000002
【特許請求の範囲】
【請求項１】
反射ベルトの一端にゴムバンドを設け、ゴムバンドの先端と反射ベルトの一方の先端にフックを設けた自転車の前カゴ反射ベルト。
【発明の詳細な説明】
【０００１】
【発明の属する技術分野】
この発明は、夜間における無灯火自転車の、交通安全事故防止対策を目的とした自転車の前カゴ反射ベルトに関するものである。
【０００２】
【従来の技術】
従来、自転車の前面の反射材は、主にペタルの部分に小型のものが付いているだけである。
【０００３】
【発明が解決しようとする課題】
これは次のような欠点があった。
反射材が小型で反射面積が小さいため反射光が弱い、しかも取り付け位置が地面に近いため使用中に反射材が汚れて反射効力が低下した。このため夜間に黒っぽい服装の無灯火自転車や、横断中の自転車等は交通事故に会う危険が多かった。
本発明は、以上のような欠点を解決するためになされたものである。
【０００４】
【課題を解決するための手段】
反射ベルト（１）の一端に、取り付け長さ調整用のゴムバンド（２）を設ける。そして、ゴムバンド（２）の先端と反射ベルト（１）の一方の先端にフック（３）（３）を設ける。
本発明は、以上の構成よりなる反射面積の広い大型反射材の、自転車の前カゴ反射ベルトである。
【０００５】
【発明の実施の形態】
以下、本発明の実施の形態を説明する。
（イ）反射ベルト（１）の一端に、取り付け長さ調整用のゴムバンド（２）を設ける。
（ロ）取り付け長さ調整用の、ゴムバンド（２）の先端と、反射ベルト（１）の一方の先端に、それぞれフック（３）（３）を設ける。
本発明は、以上のような構成でこれを使用するときは、自転車の前に付いている前カゴ（４）の正面と両側面の三方向の周囲に、反射ベルト（１）をフック（３）（３）で、前カゴ（４）のカゴ目に引っかけ、はち巻き状態に取り付ける。
これにより、夜間は前方、または側方からの自動車のヘツトライトの光が反射して自動車運転者から自転車の存在を見易すく、早く発見することができる。
【０００６】
【発明の効果】
本発明を使用することによって、従来よりも反射材の面積が広くなって反射光が大きくなる。そして、地面より高い位置に取り付けるため汚れにくい。
このため、反射材の反射効力が向上して、自動車運転者が夜間の無灯火自転車や、横断中の自転車等を、前方、側方、斜方向からでも見易すく、早く発見できるので自転車の交通安全事故防止対策に役立つものである。
【図面の簡単な説明】
【図１】本発明の斜視図
【図２】本発明の使用図
【符号の説明】
１  反射ベルト
２  ゴムバンド
３  フック
４  前カゴ
【図１】
2004345618.tif 000003
【図２】
2004345618.tif 000004
(57)【要約】【課題】自動車、二輪車のタイヤハウス、泥よけに付く雪、氷を付けないことで、ハンドルの切れ、タイヤに負荷が掛からないことを提供する。【解決手段】自動車、二輪車のタイヤハウス、泥よけに発熱体、熱線を設けることで、解決手段とし提供することにある。【選択図】    図１
2004345622.tif 000002
【特許請求の範囲】
【請求項１】
自動車、二輪車のタイヤハウス、泥よけ部に発熱体シート、熱線を設けたことを特徴とするタイヤハウス、泥よけの発熱方法。
【発明の詳細な説明】
【０００１】
【発明の属する技術分野】
本発明は自動車、二輪車のタイヤハウス、泥よけに関する。
【０００２】
【従来の技術】
従来に自動車、二輪車のタイヤハウス、泥よけ部に雪、氷を溶かす構造はなかった。
【０００３】
【発明が解決しようとする課題】
冬の雪国では、自動車、二輪車のタイヤハウス、泥よけに雪、氷が付き、タイヤの回転が悪くなることと、ハンドルの切れが不能になるので雪、氷を溶かすことを課題とした。
【０００４】
【課題を解決するための手段】
本発明は自動車、二輪車のタイヤハウス、泥よけ部に付いた雪、氷を溶かす発熱体シート、熱線を設けることを提供することで上記課題を解決する。
【０００５】
【実施例】
本発明のタイヤハウス、泥よけの発熱方法は、タイヤハウス、泥よけに付いた雪、氷でタイヤの回転にブレーキが掛かることと、ハンドルの切れが悪くなり、安全運転が出来なくなるので、タイヤハウス、泥よけの雪、氷を発熱体シート、熱線を張り付け、自動車に設けてある電流を流し、熱を出す構造である。
【０００６】
【発明の効果】
本発明はタイヤハウス、泥よけの雪、氷を付けずに溶かすことで、
（イ）タイヤと雪、氷の接触でタイヤにブレーキが掛かることがない。
（ロ）タイヤと雪、氷の接触でハンドルの切れが悪くなることを防止できる。
【図面の簡単な説明】
【図１】本発明に係るタイヤハウス、泥よけに設けた発熱体シート、熱線を設けた概観図である。
【符号の説明】
１      自動車
２      発熱体シート、熱線
【図１】
2004345622.tif 000003
(57)【要約】      （修正有）【課題】固定具自体の劣化による脱落がなく、現在使用しているサンシェードを加工なしに簡単に取り付け取り外しができるサンシェードの固定具を提供する。【解決手段】サンシェード６を挟むクリップ３とサンバイザー４に装着するはめ込み具１により構成され、磁石２により容易に取り付け取り外しができるサンシェード固定具。またはクリップ３とはめ込み具１を可動手段８により一体としたサンシェード固定具。【選択図】  図２
2004345621.tif 000002
【特許請求の範囲】
【請求項１】
サンシェード上淵付近を挟んだクリップと、そのクリップを磁力によってサンバイザー前方部分に固定する為に下面に磁石を備えたはめ込み具から成るサンシェード固定具。
【請求項２】
サンシェード上淵付近を挟んだクリップとサンバイザー前方部分にはめ込み固定する為のはめ込み具を可動手段を用い連結して成るサンシェード固定具。
【発明の詳細な説明】
【０００１】
【発明の属する技術分野】
本発明は自動車のフロントガラスにおけるサンシェード固定具に関する。
【０００２】
【従来の技術】
従来は吸盤でサンシェードをフロントガラスに貼り付け固定していたため、時間の経過や吸盤本体の劣化によりたびたび脱落していた。さらにガラスが吸盤によって汚れてしまった。また、サンシェードをサンバイザーで押さえていても柔らかいサンシェードの場合、サンシェード自体がたるんでしまい脱落してしまった。
【０００３】
【発明が解決しようとする課題】
本発明は固定具自体の劣化による脱落がなく、現在使用しているサンシェードを加工なしに簡単に脱着できるサンシェードの固定具を提供するものである。
【０００４】
【課題を解決するための手段】
本発明は上記目的を達成する為、定位置にあるサンバイザーの前方部分に下面に磁石の付いたはめ込み具を取り付ける。そこにサンシェードの上淵付近を挟んだクリップを磁力によって固定することにより解決できる。
【０００５】
あるいははめ込み具とクリップが可動手段により連結された固定具をサンシェード上淵付近に挟む。サンシェード使用時ははめ込み具部分をサンバイザー前方にはめ込む事によっても解決できる。
【０００６】
【発明の実施の形態】
本発明はサンバイザーにはめ込む為のはめ込み具１に磁石２を備えたものとサンシェードを挟む為のクリップ４から成るサンシェード固定具である。
【０００７】
あるいはサンバイザーにはめ込む為のはめ込み具１とサンシェードを挟む為のクリップ４を可動手段８により一体としたものから成るサンシェード固定具である。
【０００８】
【実施例】
図２に示すようにはめ込み具１を磁石２を備えた面を下にしてサンバイザー４にはめ込む。そこにサンシェード６を鋏んだクリップ３を磁石２に固定する。
【０００９】
図８に示すようにはめ込み具１とクリップ３を可動手段８で連結した固定具において、クリップ３でサンシェード６を挟む。固定具のはめ込み具１をサンバイザー４にはめ込む。可動手段８でフロントガラス７との角度を合わせる。
【００１０】
【発明の効果】
本発明でサンシェードの取り付け、取り外しが容易になり、サンシェードが脱落する事がなくなった。
【００１１】
さらにサンシェードの外側にプリントされたキャラクターに合わせた物をクリップと組み合わせる事によって付加価値を付ける事ができる。
【図面の簡単な説明】
【図１】本発明の固定具の一例を示す斜視図である。
【図２】本発明の固定具の実施の一例を示す断面図である。
【図３】サンバイザーにはめ込み具を装着した実施の一例を示す平面図である。
【図４】本発明の固定具の実施の一例を示す平面図である。
【図５】はめ込み具とクリップを一体とした固定具の一例を示す斜視図である。
【図６】本発明のはめ込み具とクリップを一体とした固定具の一例を示す側面図である。
【図７】はめ込み具とクリップを一体とした固定具の実施の一例を示す断面図である。
【図８】はめ込み具とクリップを一体とした固定具の実施の一例を示す斜視図である。
【符号の説明】
１  はめ込み具
２  磁石
３  クリップ
４  サンバイザー
５  自動車のルーフ
６  サンシェード
７  フロントガラス
８  可動手段
【図１】
2004345621.tif 000003
【図２】
2004345621.tif 000004
【図３】
2004345621.tif 000005
【図４】
2004345621.tif 000006
【図５】
2004345621.tif 000007
【図６】
2004345621.tif 000008
【図７】
2004345621.tif 000009
【図８】
2004345621.tif 000010
【手続補正書】
【提出日】平成15年6月12日(2003.6.12)
【手続補正１】
【補正対象書類名】明細書
【補正対象項目名】請求項３
【補正方法】変更
【補正の内容】
【請求項３】
サンシェードを磁力によってサンバイザーに固定するサンシェード固定具。
(57)【要約】【課題】本発明は安定した成形が得られると共に、扉５の片下がりが削減される樹脂製ボックスの扉構造を提供することを目的としている。【解決手段】本発明に係る樹脂製ボックスの扉構造は、扉５には開口３を本体２の外側から被覆するために設けた少なくとも上下折曲部６の内側にリブ７を設け、扉５を閉じるとき、扉５がリブ７により本体２の水切り部４の端部に沿って正しい位置に誘導されることを特徴とし、扉５の片下がりを防止するものである。【選択図】        図１
2004345662.tif 000002
【特許請求の範囲】
【請求項１】
本体の前面に開口を有し、該開口周縁には断面略コ字状に水切り部を折曲形成すると共に、前記開口を回動動作により開閉可能である扉で被覆して成る、各種電気機器等を収納するための樹脂製ボックスの扉構造において、前記扉は前記開口を前記本体の外側から被覆するために設けた少なくとも上下折曲部の内側にリブを設け、前記扉を閉じるとき、前記リブにより誘導されることを特徴とする樹脂製ボックスの扉構造。
【請求項２】
前記樹脂製ボックスの扉構造において、前記扉の折曲部に設けられるリブを、前記扉の奥に向かって高くなるように三角形状に形成したことを特徴とする請求項１に記載の樹脂製ボックスの扉構造。
【発明の詳細な説明】
【０００１】
【発明の属する技術分野】
本発明は、本体の前面に開口を有し、開口周縁には断面略コ字状に水切り部を折曲形成すると共に、開口を回動動作により開閉可能である扉で被覆して成る、各種電気機器等を収納するための樹脂製ボックスの扉構造に関する。
【０００２】
【従来の技術】
従来の樹脂製ボックス３１は、屋内外共に使用されることがあるため、特に屋外で用いる場合に少量でも雨水の浸入を防ぐため扉３２を本体３３にかぶせる形状の水切り構造が一般的である。本体３３は前面開口３４周縁を外側に断面略コ字状に折り返した形状で、扉３２は本体３３の前面開口３４を折り返し部分３５も被覆するように端部を折曲している（例えば非特許文献１参照。）。
【０００３】
【非特許文献１】
カワムラカタログ  ボックス・盤用パーツ編、平成９年３月２日改訂、ｐ．２８６
【０００４】
【発明が解決しようとする課題】
しかしながら上記従来技術における樹脂製ボックスの扉構造は、扉は本体を施蓋するように周縁部を折曲形成しているため、扉が大型化すると扉の折曲部の略中央部分が内側に反ってしまい、扉を閉じる際、折曲部が本体の開口部に当たり、扉が閉まりにくかったり、閉まらないという虞があった。また、扉の重量により蝶番側を支点に反対側が片下がりして美観を損なうこともあった。
【０００５】
【課題を解決するための手段】
そこで本発明は、安定した成形が得られると共に、扉の片下がりが削減されることを目的とし、その構造は、扉は開口を本体の外側から被覆するために設けた少なくとも上下折曲部の内側にリブを設け、扉を閉じるとき、リブにより誘導されることを特徴とする。
【０００６】
また、扉の折曲部に設けられるリブを、扉の奥に向かって高くなるように三角形状に形成したことを特徴とする。
【０００７】
【発明の実施の形態】
本発明に係る樹脂製ボックスの扉構造は、本体の前面開口周縁は折曲して水切り部が形成され、屋外に設置しても雨水が浸入しないように、扉は本体を覆うかぶせ型である。扉の上下の折曲部には本体の端部に当接される位置に、リブを設ける。リブを設けた扉は、折曲部の反りを抑えることができる。また、特に扉が大型化した場合、扉の自重で片下がりが発生することがあったが、扉に設けられたリブによって扉の開閉時に扉の軌道を修正し、片下がりを抑えることができる。
【０００８】
また、扉の奥に向かって高く、三角形状にリブを形成し、扉の開閉を滑らかに且つ、扉の片下がりを押さえる。
【０００９】
【実施例】
本発明に係る樹脂製ボックスの扉構造の実施例を図１〜図２の添付図面に基づいて説明する。
【００１０】
樹脂製ボックス１は本体２の前面に開口３を有し、開口３周縁は雨水等の浸入を防ぐため折り返して水切り部４が形成される。開口３は回動動作により開閉可能である扉５によって施蓋される。扉５は本体２を外側から覆うように、端部に折曲部６を形成している。
【００１１】
扉５の上下の折曲部６にはリブ７を形成する。リブ７が設けられることにより、リブ７が設けられていない扉５には発生しがちであった、扉５の折曲部６の反りが抑えられるので、安定した扉５の成形が得られる。
【００１２】
また、扉５の開閉時には、扉５のリブ７が本体２の水切り部４端部を規制しながら動作し、扉５の片下がりの防止になる。
【００１３】
【発明の効果】
以上述べたように、本発明に係る樹脂製ボックスの扉構造は、扉は開口を本体の外側から被覆するために設けた少なくとも上下折曲部の内側にリブを設け、扉を閉じるとき、扉をリブにより誘導するため、扉の片下がりを防止することができる。また、リブが設けられていることで、扉の反りが抑えられ、安定した成形を得ることができる。
【００１４】
また、扉の折曲部に設けられるリブを、扉の奥に向かって高くなるように三角形状に形成したため、扉の開閉時、扉に設けられたリブが本体の水切り部端部を規制しながら動作し、扉の片下がり防止となる。
【図面の簡単な説明】
【図１】本発明に係る樹脂製ボックスの扉構造を示す斜視図である。
【図２】本発明に係る樹脂製ボックスの扉構造を示す断面図である。
【図３】従来技術における樹脂製ボックスの扉構造を示す斜視図である。
【符号の説明】
１      樹脂製ボックス
２      本体
３      開口
４      水切り部
５      扉
６      折曲部
７      リブ
【図１】
2004345662.tif 000003
【図２】
2004345662.tif 000004
【図３】
2004345662.tif 000005
(57)【要約】【課題】簡単な手段で樹脂ケース同士をガタツキなく係止できる係止構造を提供する。【解決手段】一方の樹脂ケース１に凸部２、他方の樹脂ケース３に凹部４（貫通孔でもよい）を設けて、凸部２と凹部４を互いに係止する樹脂ケースの係止構造において、凸部２の凹部４との係止面に三角突起状などの微小突起５を設け、この微小突起５が凹部４の凸部２との係止面６から圧力を受けて、前記微小突起５が潰されつつ凹部４と凸部２が互いに係止された樹脂ケースの係止構造である。【選択図】  図１
2004345666.tif 000002
【特許請求の範囲】
【請求項１】
一方の樹脂ケースに凸部、他方の樹脂ケースに凹部を設けて、凸部と凹部を互いに係止する樹脂ケースの係止構造において、凸部の凹部との係止面に微小突起を設け、この微小突起が凹部の凸部との係止面から圧力を受けて、前記微小突起が潰されつつ凹部と凸部が互いに係止された樹脂ケースの係止構造。
【発明の詳細な説明】
【０００１】
【発明の属する技術分野】
本発明は、スイッチなどにおける樹脂ケースの係止構造に関する。
【０００２】
【従来の技術】
スイッチでは、一方の樹脂ケースに凸部、他方の樹脂ケースに凹部を設けて、凸部と凹部を互いに係止する樹脂ケースの係止構造が多い。
【０００３】
【発明が解決しようとする課題】
しかし、そのような樹脂ケース同士をガタツキなく係止できるようにしようとすれば、樹脂ケースを成形する金型の寸法精度を出すために、数回に渡り金型寸法を調整する必要があり、非常に面倒な作業を要する。本発明はこのような解決すべき課題を鑑み、簡単な手段で樹脂ケース同士をガタツキなく係止できる係止構造を提供することを目的とする。
【０００４】
【課題を解決するための手段】
本発明を要約すると、一方の樹脂ケースに凸部、他方の樹脂ケースに凹部を設けて、凸部と凹部を互いに係止する樹脂ケースの係止構造において、凸部の凹部との係止面に微小突起を設け、この微小突起が凹部の凸部との係止面から圧力を受けて、前記微小突起が潰されつつ凹部と凸部が互いに係止された樹脂ケースの係止構造である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、一方の樹脂ケース１に凸部２、他方の樹脂ケース３に凹部４（図のように貫通孔でもよい）を設けて、凸部２と凹部４を互いに係止する樹脂ケースの係止構造において、凸部２の凹部４との係止面に三角突起状などの微小突起５を設け、この微小突起５が凹部４の凸部２との係止面６から圧力を受けて、前記微小突起５が潰されつつ凹部４と凸部２が互いに係止された樹脂ケースの係止構造である。潰された微小突起は図３に５’で示す。
【０００７】
さらに詳述すれば、樹脂ケース１は基台を構成し、その上面に基板７が配置され、基板７の上面には図示されない導電配線パターンが付着されている。カバーとなる樹脂ケース３の窓孔８には押しボタン９がスライド可能に嵌め合わされ、押しボタン９と基板７の間にゴム等の弾性材からなるドーム体１０が配置されている。また、樹脂ケース１の下面には基板７の導電配線パターンと導通する端子１１が突出されている。
【０００８】
樹脂ケース１、３同士を嵌め合わせようとすると、凹部４の周部が外に開きつつ凸部２を乗り越えて凸部２と凹部４が係止されるようになるが、そのとき微小突起５は凹部４の凸部２との係止面６から圧力を受けて、微小突起５が潰されつつ凹部４と凸部２が互いに係止される。
【０００９】
このように、微小突起５の存在により樹脂ケース１、３同士がガタツキなく安定に固定される利点があり、樹脂ケース１、３の成形金型の面倒な寸法調整作業が殆ど必要でなくなるという画期的な波及効果を奏する。
【図面の簡単な説明】
【図１】分解斜視図
【図２】片方の樹脂ケースの下面斜視図
【図３】組立断面図
【符号の説明】
１  樹脂ケース
２  凸部
３  樹脂ケース
４  凹部（貫通孔）
５  微小突起
６  係止面
【図１】
2004345666.tif 000003
【図２】
2004345666.tif 000004
【図３】
2004345666.tif 000005
(57)【要約】【課題】従来ケーキを食べるとき、ケーキ受け皿は市販の紙皿又は食器皿を使用し、使用後食器皿を洗っていたが、食器皿洗いの作業をなくすため、ケーキ箱をゴミとして捨てるまえにケーキ箱の蓋と側（６）をケーキ受け皿（３）として利用の出来るケーキ箱とした。【解決手段】ケーキ箱の蓋と側、図３（６）内側にケーキ受け皿（３）のカットライン（１３）とケーキ箱の蓋、図２（６）外側にミシン目（１）を設け、ケーキ受け皿（３）として利用する為、素手又はハサミでカットきるようにする。【選択図】      図２
2004345647.tif 000002
【特許請求の範囲】
【請求項１】
ケーキ（菓子）箱の蓋と側（６）をケーキ受け皿に利用することを特徴とするケーキ（菓子）箱。
【請求項２】
ケーキ（菓子）箱の蓋と側（６）をケーキ受け皿に利用する為、蓋と側（６）に数枚のケーキ受け皿型のミシン目（１）を設ける事により、ミシン目に沿って数枚のケーキ（菓子）受け皿を素手又はハサミでカットし、ケーキ（菓子）受け皿として利用することを特徴とする請求事項１記載の受け皿付ケーキ（菓子）箱。
【発明の詳細な説明】
【０００１】
【発明の属する技術分野】
本発明は、ケーキ箱の有効利用に関するものである。
【０００２】
【従来の技術】
従来のケーキ箱は、図９に示すように、折り目（２）に沿って内側に折り曲げ挿入溝（１１）に引っ掛け片（８）を差し込み、ケーキ箱を組立、ケーキを運び保管を目的としていた為、ケーキ受け皿は市販の紙皿か食器皿を使用していた。
【０００３】
【発明が解決しようとする課題】
従来のケーキ箱は、ケーキを取り出した後ゴミとして捨てられていた。
そこで、この発明は、ケーキ箱の蓋と側（６）をケーキ受け皿（３）に利用することで、市販の紙皿又は食器皿を使用し、その後食器皿を洗ったりするムダをなくすことを課題とする。
【０００４】
【課題を解決するための手段】
以上の課題を解決するために、請求項１の発明は、ケーキ箱の蓋と側（６）をケーキ受け皿（３）に利用することを特徴とするケーキ箱。
また、請求項２の発明は、ケーキ箱の蓋と側（６）をケーキ受け皿（３）に利用する為、蓋と側（６）にミシン目（１）を設ける事により、ミシン目に沿って素手又はハサミでカットしケーキ受け皿（３）として利用することを特徴とする受け皿付ケーキ箱である。
【０００５】
【発明の実施の形態】
この発明の実施形態を、図２、３、７、に示す。
図３に示す蓋と側の内側にはケーキ受け皿（３）の型にカットライン（１３）を入れ、外側にこれと同じ位置に図２のミシン目（１）を設けるが、ミシン目（１）をつたって外からゴミが内へ入ってくるのを防ぐ為、ミシン目（１）は図７の示すように内側まで貫通させずに入れる。
【０００６】
【実施例】
この実施形態によれば、ケーキ箱の蓋と側（６）をケーキ受け皿（３）の型に素手又はハサミでカットできる。
【０００７】
【他の実施例】
図７の実施形態によれば、カットはミシン目であったが、他の実施形態図８ではミシン目（１）の目を長くするか、すべてカットし図８（１）補強のため表紙（１２）を張り素手でカットすることができれば良い。
【０００８】
本発明のケーキ受け皿の型は色々な形状に出来、図４もその一つである、図４のカットラインは複雑であるが分割数字（５）でカットすれば分割数のケーキ皿がとれる。
【０００９】
【発明の効果】
以上説明したように、この発明によれば、ケーキ箱の蓋と側（６）をケーキ受け皿に利用できる。
【００１０】
また、従来では食器皿を使用した場合、食器皿を洗うため洗剤や水を使っていたが、ケーキ箱の蓋と側（６）をケーキ受け皿（３）に利用することで、洗剤や水を使わなくてすむので環境に良い発明である。
【図面の簡単な説明】
【図１】本発明のケーキ箱組立後の斜視図である。
【図２】本発明に係るケーキ箱の外側から見たミシン目（１）入り箱本体の展開図である。
【図３】本発明に係るケーキ箱の内側から見たカットライン（１３）入り箱本体の展開図である。
【図４】本発明に係るケーキ受け皿の別パターンの型のカットライン（１３）入り箱本体の展開図である。
【図５】本発明の組立後ケーキを入れた断面図である。
【図６】本発明のケーキ皿（３）にケーキ（４）をのせた参考斜視図である。
【図７】図５のミシン目（１）の拡大図である。
【図８】図５のミシン目（１）をすべてカットし補強のため表紙（１２）を張りつけた拡大図である。
【図９】従来のケーキ箱の箱本体の展開図である。
【符号の説明】
１  ミシン目
２  折り目
３  ケーキ受け皿
４  ケーキ
５  ケーキ分割数
６  蓋と側
７  底板
８  引っ掛け片
９  紙板
１０  箱本体
１１  挿入溝（引っ掛け片差し込む溝）
１２  表紙
１３  カットライン
【図１】
2004345647.tif 000003
【図２】
2004345647.tif 000004
【図３】
2004345647.tif 000005
【図４】
2004345647.tif 000006
【図５】
2004345647.tif 000007
【図６】
2004345647.tif 000008
【図７】
2004345647.tif 000009
【図８】
2004345647.tif 000010
【図９】
2004345647.tif 000011
(57)【要約】【課題】従来の指サックによる圧力と蒸れの不快感を解消して、幅広い筆記用具に適用できるページめくり工具を作成する。【解決手段】筆記用具本体１にゴムリング２をつけ、ゴムリングに外面の溝３、内面の溝４と突起を設ける。【選択図】            図１
2004345335.tif 000002
【特許請求の範囲】
【請求項１】
筆記用具の端部に付ける外側突起の付いたページめくり用ゴムリング
【発明の詳細な説明】
【０００１】
【発明の属する技術分野】
本発明は、筆記用具の端部に外側突起の付いたページめくり用ゴムリングに関する。
【０００２】
【従来の技術】
従来は指先にサックを付けて作業する様にしている。
【０００３】
【発明が解決しようとする課題】
従来は指先にサックを付けて作業する際、指先に圧力と蒸れが生じて、それによる痒くなったり痛くなたりという不快感が生じる、また実用案出願平５−５７３２３のような特定な種類しか使えないので、使用範囲が限られているという問題点があった。
【０００４】
本発明は、従来指先に付けるサックを形変えて、筆記用具の端部に付けるゴムリングにしました、それによって指先を開放されました、またゴムリングが伸びる性質ある、付けたりはずしたりすることできる、ほとんどの筆記用具適用することが目的としており。
【０００５】
【課題を解決するための手段】
上記目的を達成するために、本発明のゴムリングは外面に突起が設けることによて、摩擦力が増大させ、さらに抜きにくくするため、内面に横溝を設けています。
【０００６】
【発明の実施の形態】
図１において、筆記用具本体１の先部にゴムリング２を付ける実施例です。
【０００７】
図２において、ゴムリング２の外面に溝３と突起５が設けている、また、内面の溝４が設けている。
【０００８】
【発明の効果】
本発明は、以上説明したように構成されていで、以下に記載されるような効果を奏する。
【０００９】
本発明は、従来指先に付けるサックを形変えて、筆記用具の端部に付けるゴムリングにしました、それによって指先を開放されました、またゴムリングが伸びる性質ある、付けたりはずしたりすることできる、ほとんどの筆記用具適用することが目的としており。
【００１０】
筆記用具は指より細いので、従来の指サックより小型になりました。
【００１１】
さらに、ゴムリングの外面の突起の形状は、突起状、鉢巻状などにすることができる、デザイン性向上される。また、ゴムリングの色もオレンジ、緑、赤など多様にできる。
【図面の簡単な説明】
【図１】ゴムリング付き筆記用具の縦断面図である。
【図２】ゴムリングの縦断面図である。
【符号の説明】
１．筆記用具本体
２．ゴムリング
３．外面の溝
４．内面の溝
５．突起
【図１】
2004345335.tif 000003
【図２】
2004345335.tif 000004
(57)【要約】      （修正有）【課題】夜間等、暗い所での筆記は、非常に困難だった。この用件を解決して常時筆記が出来る、筆記具の開発。【解決手段】ペンの先端部に電球１を取り付け、握り部分に電池２を収容しライト使用時、スイッチ３を入れ使用する。【選択図】  図１
2004345338.tif 000002
【特許請求の範囲】
【請求項１】
ペンの先端部にリング型電球を取り付け、暗い所でも使用できる筆記具。
【発明の詳細な説明】
【０００１】
【発明の属する技術分野】
この発明は、ペンの先端部にライトを組み込んだ、筆記具に関するもの。
【０００２】
【従来の技術】
従来、暗い所で使用出来る筆記具は無い。
【０００３】
【発明が解決しようとする課題】
夜間や暗い所での、筆記が困難であった。この用件を解決するものである。
【０００４】
【課題を解決するための手段】
筆記具の先端部に１リング型の電球を取り付け、ペン軸部分に２電池を収納し、ライトを使用時には３スイッチを入れる。
本発明は、以上のような構成よりなりうる筆記具である。
【０００５】
【発明の実施の形態】
以下、本発明の実施の形態について説明する。
（イ）ペンの先端部に１リング型電球を取り付け、ペン軸部分に２電池を収納する。
（ロ）暗いところでの使用は３スイッチを入れて使う。
【０００６】
【発明の効果】
本発明は以上のような構造で、夜間や暗い所でも筆記が、容易にできる。
【図面の簡単な説明】
【図１】本発明の側面図である。
【符号の説明】
１リング型電球      ２電池      ３スイッチ
４芯
【図１】
2004345338.tif 000003
(57)【要約】【課題】流出油を回収するのに、流出油を全部船に積み込んでたら一杯になるたびに、他の船に油を移し替えるか、港に戻るかして船倉を空にしなくてはならず、緊急の大事な時間に、回収船の能力を十分に発揮できない。【解決手段】発明した流出油回収船は、流出油と水を直接接触させない為と流出油を拡げない為に、流出現場で流出油を容器や袋に入れ水面に戻し、それを別の船が運ぶ事により、流出油処理能力を現場で長時間十分に発揮し、迅速に油を処理できる。【選択図】        図１
2004345383.tif 000002
【特許請求の範囲】
【請求項１】
水面上の流出油を容器等（金属製やポリの容器、プラスチック袋）に入れて密閉し水面に戻す事で、流出油を広げず回収を容易にし、大きなタンカー事故にも対応できる仕組みを特徴とする流出油回収船。
【請求項２】
流出油の入った多数の容器等をバラバラにならないようにロープでつなぎ、旗や発信機を付け、また容器を黄色にすることで流出油を見つけやすく、回収し易くする技術。
【請求項３】
流出油を入れる容器等に、ロープを結ぶ為の穴を付ける技術
【請求項４】
一度水面に戻した流出油を入れた容器等を、迅速に集める手段としてそれに賞金を賭け、決められた場所に持参した人から買い取るシステム
【発明の詳細な説明】
【０００１】
【発明が属する技術分野】
本発明は、大量に生じた流出油を効率よく回収する技術である。
【０００２】
【従来の技術】
流出油の量が大量であると、大型の油回収船では油を回収し一杯になると、港に帰り船倉を空にしたり、別の船に移し替えるか、小型の油回収船では回収しながらペアを組んだ別の船に移し替えていた。
【０００３】
【発明が解決しようとする課題】
大量の流出油があると、船倉がいっぱいになったり、ペアを組んだ船が満杯になると、回収作業を止めて油を処分しないとならず、回収作業時間にロスが生じ能率が悪い。
【０００４】
【課題を解決するための手段】
この改善策として発明した流出油回収船は、流出油が大量の時は、船に積み込むのでなく油を収容しやすいように密閉した容器や袋に入れて水面に戻すことで、現場でフルに流出油回収船が、油回収能力を十分に使える。
【０００５】
水面に戻すときに、流出油の入った黄色い、容器や袋の一定量をバラバラにならないようにロープで結び、旗や発信機を付けた浮を結んで、容器や袋の発見を容易にする。
【０００６】
流出油を入れる金属容器に穴のあいた金具を溶接し、ロープを結ぶのを容易にする
【０００７】
流出油を入れるプラスチックの袋の端に穴をあけ、その穴が壊れないように金具で保護しロープで結ぶのを容易にする
【発明の実施の形態】
【０００８】
発明した流出油回収船は、少量の流出油のときは油水分離機等に油を入れて船上に蓄えるが、大量のときは、現場で流出油の封入加工を行い、船上には蓄えないで水上に戻し、応援に集まってきた別の船が輸送を専門にを行い、その容器等は決められた場所で買い取られる。
【０００９】
【発明の効果】
本発明は小型の油回収船が単独であっても長時間現場で活躍でき、大型船並み以上の仕事を期待できるものである。又大型の油回収船も今まで以上に、長時間現場で活躍できる。油回収装置を持たない普通の船は、水面の流出油の入った容器、袋を船に引き上げたり、そのまま曳航したりして、たいして汚れずに又、流出油から出るガスに長時間苦しまずに輸送に専念できる。そのことにより、あらゆる普通の船が応援に来やすく、しかもお金になるので応援の乗組員の士気高揚し、短時間で流出油の処理が出来る。
【図面の簡単な説明】
【図１】流出油処理の実施方法を示した説明図である。（実施例）
【図２】流出油を入れる金属製の容器にロープを結ぶ金具を付けた説明図である（実施例）
【図３】流出油を入れるプラスチックの袋の端に穴をあけ、穴を保護する金具を付けた説明図である（実施例）
【符号の説明】
１    袋に入った流出油
２    油水分離機
３    油水移送ポンプ
４    パイプ
５    輸送に駆けつけた船
６    流出油
７    発明した流出油回収船
８    旗と発信機の付いた浮
９    旗の着いた竿
１０    容器同士や浮を繋ぐロープ
２１    ロープを結ぶ金具
２２    蓋
２３    金属製の容器
４１    プラスチックの袋
４２    流出油
４３    熱で融着し密閉した部分
４４    ロープで結ぶ穴
４５    ロープで結ぶ穴の詳細図
４６    穴を保護する金具
【図１】
2004345383.tif 000003
【図２】
2004345383.tif 000004
【図３】
2004345383.tif 000005